(57)【要約】【課題】  人物の顔画像データから通信先を誤りなく設定して、通話や電子メールの伝送等の処理を行う形態端末を構成する。【解決手段】  カメラ５で撮影された人物の顔画像データから特徴取得手段２１が特徴データを取得し、この特徴データと、特徴データ記憶部３２に既に記憶されている特徴データが高い精度で一致する場合には、一致した特徴データに対して関連付けデータによって関連付けられている電話番号や、メールアドレスを通信先に選択する通信先選択手段１５を備えた。【選択図】        図３
2007028077.tif 000002
【特許請求の範囲】
【請求項１】
アドレス記憶部に記憶した複数のアドレスデータの１つを通信先として指定することにより、指定した通信先に通信回線を介して情報の伝達を実現する携帯端末であって、
取得した人物の顔画像データから、その顔の特徴データを取得する特徴取得手段を備え、
前記複数のアドレスデータの少なくとも１つに前記特徴データを関連付けて記憶する関連付け手段を備えると共に、前記特徴取得手段で取得した特徴データと、既に関連付けが行われている前記特徴データとを比較する人物判定手段を備え、この人物判定手段での比較の結果、高い精度で一致すると判定した場合には、その特徴データが関連付けられている前記アドレスデータを通信先として選択する通信先選択手段を備えている携帯端末。
【請求項２】
取得された人物の顔画像データを表示するディスプレイを該携帯端末に備え、前記関連付け手段は、前記顔画像データと、入力されたアドレスデータをディスプレイに一連表示し、この表示をオペレータが確認した後に、前記顔画像データから前記特徴取得手段が取得した特徴データと、前記オペレータにより確認されたアドレスデータとを関連付ける請求項１記載の携帯端末。
【請求項３】
前記特徴取得手段は、前記顔画像データを、前記通信回線を介して処理サーバに伝送し、この処理サーバでの処理によって前記顔画像データから取得した前記特徴データを前記通信回線を介して取得する請求項１又は２記載の携帯端末。
【請求項４】
前記人物判定手段は、顔画像データの特徴データと、前記アドレスデータに関連付けられた特徴データとの一致の程度を数値化し、この数値が閾値を超えるものについて、高い精度で一致すると判定して判定結果を前記通信先選択手段に与え、閾値を超えないものについては、一致の程度の高いものを通信先の候補とする請求項１〜３のいずれか１項に記載の携帯端末。
【請求項５】
アドレス記憶部は、前記アドレスデータとして電話番号又はインターネットを利用したメールアドレスを記憶しており、前記通信先選択手段は、前記電話番号又はメールアドレスを通信先に設定する請求項１〜４のいずれか１項に記載の携帯端末。
【発明の詳細な説明】
【技術分野】
【０００１】
本発明は、アドレス記憶部に記憶した複数のアドレスデータの１つを通信先として指定することにより、指定した通信先に通信回線を介して情報の伝達を実現する携帯端末に関し、詳しくは、携帯電話機や通信機能を有するＰＤＡ等において通信機能を改良する技術に関する。
【背景技術】
【０００２】
上記のように構成された通信端末と関連する技術として特許文献１に記載されるものが存在する。つまり、携帯電話機に人物の顔画像と、その人物の電話番号（通信先）とを関連付けて記憶（登録）しておき、通話を行う際には液晶表示部に表示された顔画像から通話先を確認した状態で通話を行い、着信時において、既に電話番号と顔画像とが記憶されている場合には、顔画像を液晶表示部に表示することにより、通信相手を確認できるようにしてる。
【０００３】
【特許文献１】特開２０００‐４９９１３号公報  （段落番号〔００１８〕、〔００２０〕〜〔００２２〕図１、図６）
【発明の開示】
【発明が解決しようとする課題】
【０００４】
電話機で通話を行う際の状況として、写真に撮影された人物と通話したい場合もある。このような場合、名前も電話番号も思い出せなくとも、特許文献１に記載された機能を有する電話機において、顔画像と電話番号とが関連付けて登録されている場合には、液晶表示部に顔画像を順次表示し、その表示の中から、写真に撮影された人物の顔画像を探し出すことで通話が実現する。しかしながら、登録している顔画像の数が多い場合には選択に手間と時間が掛かり煩わしい面もある。特に、写真に撮影された人物の顔画像と電話機に登録されている顔画像とが少し違って見える場合には、登録している顔画像から通話先に指定する際に手間が掛かることや、誤った選択をすることも考えられる。
【０００５】
また、近年の携帯電話機ではインターネットを介して個人に対して電子メールを送信する機会も多い。この電子メールを送信する際にも、特許文献１に記載された機能を利用して顔画像とメールアドレスを関連付けて登録しておくことにより、メールアドレスを入力する手間を省くことも考えられる。しかしながら、前述したように誤った選択を行った場合には、不必要な電子メールが誤って送られることも考えられる。人物同士の通話とは異なり、電子メールは文書等の情報の全てが送信されるため、秘密保持の面において改善が望まれる。
【０００６】
本発明の目的は、人物を撮影した場合や人物の写真が手元にある場合には、誤りなく通信先を指定して通信を行い得る携帯端末を構成する点にある。
【課題を解決するための手段】
【０００７】
本発明の特徴は、アドレス記憶部に記憶した複数のアドレスデータの１つを通信先として指定することにより、指定した通信先に通信回線を介して情報の伝達を実現する携帯端末において、
取得した人物の顔画像データから、その顔の特徴データを取得する特徴取得手段を備え、
前記複数のアドレスデータの少なくとも１つに前記特徴データを関連付けて記憶する関連付け手段を備えると共に、前記特徴取得手段で取得した特徴データと、既に関連付けが行われている前記特徴データとを比較する人物判定手段を備え、この人物判定手段での比較の結果、高い精度で一致すると判定した場合には、その特徴データが関連付けられている前記アドレスデータを通信先として選択する通信先選択手段を備えている点にある。
【０００８】
この構成により、顔画像データから特徴取得手段が取得した特徴データと、関連付け手段がアドレスデータに関連付けた特徴データとを人物判定手段が比較した結果、高い精度で一致する場合には、通信先選択手段が、そのアドレスデータを通信先として選択する。つまり、取得した人物の顔画像データから取得した特徴データと、既に記憶されている特徴データとが高い精度で一致した場合には、既に記憶されている特徴データと関連付けられているアドレスデータを通信先として自動的に選択し、オペレータは設定した通信先に情報を伝達できる。その結果、人物の写真が手元にある場合には、その人物の顔画像の特徴データがアドレスデータと関連付けて記憶されているものについては、誤りなく通信先を指定して通信を行い得る携帯端末が構成された。特に、電子メールを送る通信では、誤ったメールアドレスに電子メールを送る不都合が回避されるので、秘密の漏出を阻止できる。
【０００９】
本発明は、取得された人物の顔画像データを表示するディスプレイを該携帯端末に備え、前記関連付け手段は、前記顔画像データと、入力されたアドレスデータをディスプレイに一連表示し、この表示をオペレータが確認した後に、前記顔画像データから前記特徴取得手段が取得した特徴データと、前記オペレータにより確認されたアドレスデータとを関連付けても良い。
【００１０】
この構成により、例えば、携帯端末に備えたカメラで人物を直接撮影する又は写真の人物をカメラで撮影する等の手段によって取得した人物の顔画像データをディスプレイに表示した状態で、その人物について既に記憶されているアドレスデータや、任意に設定したアドレスデータをディスプレイに表示できるので、この表示からオペレータが対応関係を確認でき、この確認の後に、関連付けることにより誤りを回避できる。
【００１１】
本発明は、前記特徴取得手段は、前記顔画像データを、前記通信回線を介して処理サーバに伝送し、この処理サーバでの処理によって前記顔画像データから取得した前記特徴データを前記通信回線を介して取得しても良い。
【００１２】
この構成により、顔画像データから特徴データを抽出する処理を携帯端末の内部で行わずに済み、携帯端末内部での処理のウエイトを増す不都合を回避できると同時に、処理サーバでの高度な処理結果を取得することも可能となる。
【００１３】
本発明は、前記人物判定手段が、前記顔画像データの特徴データと、前記アドレスデータに関連付けられた特徴データとの一致の程度を数値化し、この数値が閾値を超えるものについて、高い精度で一致すると判定して判定結果を前記通信先選択手段に与え、閾値を超えないものについては、一致の程度の高いものを通信先の候補としても良い。
【００１４】
この構成により、アドレスデータに関連付けられた特徴データと、カメラで撮影した人物の顔画像データの特徴データとの数値化した一致の程度が閾値を超えて高い精度で一致する場合には、関連付けられたアドレスデータを通信先に設定し、例えば、写りの良くない写真の人物の顔画データから通信先を設定する際に、数値化した一致の程度が閾値を超えない場合でも、一致の程度の高いものを通信先の候補とするので、オペレータは候補として設定されたアドレスデータを確認して通信先に設定することも可能となる。
【００１５】
本発明は、アドレス記憶部は、前記アドレスデータとして電話番号又はインターネットを利用したメールアドレスを記憶しており、前記通信先選択手段は、前記電話番号又はメールアドレスを通信先に設定しても良い。
【００１６】
この構成により、指定した電話番号、又は、指定したメールアドレスを通信先に設定できる。
【発明を実施するための最良の形態】
【００１７】
以下、本発明の実施形態を図面に基づいて説明する。
〔基本構成〕
図１に示すように、電話番号や文字入力に用いる複数のキー１、及び、音声を取り込むマイクロホン２を備えた主ケースＣＡと、情報を表示する液晶ディスプレイ３、音声を出力するレシーバ４、画像を撮影するカメラ５、及び、電波信号の送受信を行うアンテナ６を備えた副ケースＣＢとをヒンジ７を介して折り畳み自在に連結して携帯端末の一例としての携帯電話機が構成されている。
【００１８】
この携帯電話機による通信経路の一例を図２に示している。この通信経路として、本発明の携帯電話機Ｘとした場合、この携帯電話機Ｘからの電波は基地局４０で受信される。この基地局４０は、有線型の公衆の電話回線ＰＮと有線型のインターネットＩＮとに接続しており、公衆の電話回線ＰＮには固定型の電話機４１、基地局４０を介して通信可能な他の携帯電話機４２、この電話回線ＰＮをインターネットに利用する個人のパーソナルコンピュータ４３が接続可能である。前記インターネットＩＮには、パーソナルコンピュータ４３が接続すると共に、Ｗｅｂサーバ４４と、処理サーバ４５とが接続している。このように説明した電話回線ＰＮとインターネットＩＮとが本発明での通信回線に相当する。
【００１９】
この携帯電話機Ｘは、前記電話回線ＰＮを介して前記固定型の電話機４１や、他の携帯電話機４２と通話する機能（通話モード）と、前記インターネットＩＮや前記電話回線ＰＮをインターネットとして利用することにより他の携帯電話機４２あるいは前記パーソナルコンピュータ４３に設定されたメールアドレスに電子メールを伝送し、これらからの電子メールを受信する機能（メールモード）と、前記インターネットＩＮを介して前記Ｗｅｂサーバにログインしてサーバから伝送される情報を閲覧する機能（Ｗｅｂモード）とを有している。
【００２０】
この携帯電話機Ｘは、前記カメラ５で人物の顔を撮影した場合には、その人物の顔画像データから、個人を特定し得る特徴データを取得し、電話番号やメールアドレス等のアドレスデータに関連付けて記憶する処理を行えるものである。この関連付けを行った後にカメラ５で人物の顔を撮影した場合や、写真や印刷物の顔を撮影した場合には、撮影した顔画像データから特徴データを取得する。このように取得した特徴データが既に記憶した特徴データと高い精度で一致する場合には、その特徴データと関連付けたアドレスデータを通信先に設定する機能を有している。
【００２１】
〔制御構成〕
前述した通信機能と、顔の特徴データに基づいて通信先を設定する機能とを実現する制御系が前記主ケースＣＡと副ケースＣＢとに振り分けて内装されている。この制御系を図３のように示すことが可能である。
【００２２】
この制御系では主として通信に関連する処理を行う通信プロセッサ１０と、主として画像処理を行うマルチメディアプロセッサ２０とを備えている。通信プロセッサ１０は、前記アンテナ６によって電波の送受信を行う送受信部１１と、前記複数のキー１の操作情報を取得するキーユニット１２と、前記マイクロホン２と、前記レシーバ４との間で信号のアクセスを行う系を形成すると共に、通信処理部１３と、アドレス記憶部１４と、通信先選択手段１５との間で信号のアクセスを行う系を形成している。
【００２３】
前記通信処理部１３は、電話回線を用いた通常の通話を可能にする通話モードと、インターネットＩＮ（電話回線ＰＮをインターネットに利用するものも含む）を用いて電子メールの送受信を可能にするメールモードと、インターネットＩＮを用いて前記Ｗｅｂサーバ４４等にログインするＷｅｂモードとの何れかでの通信を実現する。つまり、通話モードではキー１の操作で指定された電話番号に対する音声信号の送受信を実現し、メールモードではメーラを起動し、指定されたメールアドレスに対してメーラの内容を伝送すると共に、受信した電子メールをメーラが液晶ディスプレイ３に表示する処理を実現し、Ｗｅｂモードではブラウザを起動し、指定されたＵＲＬの内容を液晶ディスプレイ３に表示する処理を実現する。
【００２４】
また、前記アドレス記憶部１４は、前記通話モードにおける通信先としての電話番号と、前記メールモードにおける電子メールの通信先（送信先）としてのメールアドレスと、前記Ｗｅｂモードでのログイン先のアドレス（通信先：ＵＲＬ（Uniform Resource Locater））とを記憶する。このアドレス記憶部１４には前記電話番号及びメールアドレスと対応して、その電話番号、メールアドレスを有する個人名や企業名等が記憶され、また、前記ＵＲＬが個人のホームページである場合には、ホームページ名や運営する個人名が記憶され、企業である場合には企業名が記憶される。
【００２５】
また、通信先選択手段１５は、後述する通信先選択処理に基づいて設定されるアドレスデータを通信先として選択する処理を行う。
【００２６】
前記マルチメディアプロセッサ２０は、前記液晶ディスプレイ３と、前記カメラ５と、特徴取得手段２１と、関連付け手段２２と、人物判定手段２３との間で信号のアクセスを行う系を形成している。また、通信プロセッサ１０とマルチメディアプロセッサ２０とからの情報がアクセスするＥＥＰＲＯＭ型の半導体メモリ３０を備えている。
【００２７】
前記特徴取得手段２１は、前記カメラ５で撮影した人物の顔画像データに複数の特徴点を設定して、その特徴点の位置を特徴量として取得する機能を有している。このように特徴量を取得する際の処理形態として、一般的には、顔画像データ中から顔の輪郭を抽出して顔全体の形を把握した状態で、左右の目の特定の位置（例えば、虹彩の中心位置）、鼻の特定の位置、口の特定の位置等を取得し、これらの位置を結ぶラインや、夫々の位置の座標を数値化する処理が行われている。このように数値化した特徴量を特徴データと呼称する。
【００２８】
図面には示していないが、前記カメラ５は、撮影レンズと、ＣＣＤ等の光電変換手段とを備えており、このカメラ５で撮影を行う場合には、前記複数のキー１の操作で撮影モードを選択して液晶ディスプレイ３でカメラ５からの画像をモニタしながら、適当なタイミングで予め設定されたキー１を操作することで、光電変換手段から画像データが取得される。このように取得した画像データは基本的にはＪＰＥＧ形式（Joint Photographic Experts Groupが制定した形式）に圧縮される。
【００２９】
前記関連付け手段２２は、前記アドレス記憶部１４に記憶している電話番号や、メールアドレス、あるいは、ＵＲＬに対して、前記特徴取得手段２１で取得した特徴データを関連付ける処理を行う。尚、これら電話番号、メールアドレス、ＵＲＬをアドレスデータと総称している。
【００３０】
前記人物判定手段２３は、前記関連付け手段２２によって前記アドレス記憶部１４に記憶されたアドレスデータに関連付けられた特徴データと、前記カメラ５で撮影された顔画像データから前記特徴取得手段２１が取得した特徴データとを比較し、特徴データの一致の程度を判定する処理を行う。
【００３１】
これら特徴取得手段２１、人物判定手段２３は専用のロジックを備えたハードウエアとソフトウエアとの組み合わせたものを想定しているが、ハードウエアのみで構成することや、ソフトウエアのみで構成しても良い。また、関連付け手段２２はソフトウエアで構成するものを想定しているが、ハードウエアで構成して良く、ソフトウエアとハードウエアとの組み合わせで構成したものであっても良い。
【００３２】
前記半導体メモリ３０はＥＥＰＲＯＭ等の不揮発性メモリで構成されている。この半導体メモリ３０は、通信履歴記憶部３１、特徴データ記憶部３２、サムネイルデータ記憶部３３、関連付けデータ記憶部３４、画像データ記憶部３５として機能する。尚、前記アドレス記憶部１４を、この半導体メモリ３０を用いて構成しても良い。
【００３３】
前記通信履歴記憶部３１は、通信先のアドレスデータと通信日時とを含む通信履歴を記憶する領域である。前記特徴データ記憶部３２は、前記特徴取得手段２１で取得した後にアドレスデータに関連付けられた特徴データを記憶する領域である。前記サムネイルデータ記憶部３３は前記カメラ５で撮影した顔画像データから画素数を減ずる処理によって液晶ディスプレイ３での表示に適した画素数となるようデータ量を低減することによりサムネイル形式に変換した顔画像データを記憶する領域である。
【００３４】
また、前記関連付けデータ記憶部３４はアドレスデータと前記特徴データとの関連付けを示す関連付けデータを記憶する領域である。この関連付けデータの構造として図４に示すように、特徴データのインデックス（例えば、ファイル名）と、アドレスデータ／名前と、サムネイルデータのインデックス（例えば、ファイル名）とを、ＣＳＶ（Comma Separated Values）等の単純なテキストデータ構造で記載したファイル形式を想定している。
【００３５】
前記画像データ記憶部３５は前記カメラ５で撮影した画像データを記憶する領域である。この画像データ記憶部３５には前述したＪＰＥＧ形式（Joint Photographic Experts Groupが制定した形式）での画像データを記憶する処理形態を想定しているが、ビットマップ構造やＴＩＦＦ（Tag Image File Format）形式の画像データを保存するものであっても良い。
【００３６】
〔関連付け処理〕
この携帯電話機Ｘでは、顔画像データとアドレスデータとを関連付けて記憶する際の関連付け処理を図５のフローチャートのように示すことが可能である。
【００３７】
つまり、前記カメラ５で人物の顔を撮影して顔画像データを取得した場合（写真や印刷物を撮影して顔画像データを取得しても良い）、取得した顔画像データを液晶ディスプレイ３に表示し、その顔画像データから特徴データが取得される（＃１０１〜＃１０３ステップ）。
【００３８】
このように顔画像データから取得した特徴データとアドレスデータとを関連付ける際には、関連付けを行うモードを選択することが必要であるが、このモードの選択のタイミングは撮影の以前でも、撮影後であっても良い。また、＃１０２ステップでは図８に示すように前記液晶ディスプレイ３に対して顔画像データを表示すると同時に、同図に示すように「この人物のアドレスを登録しますか」等のメッセージを併せて表示し、例えば、Ｙｅｓ・Ｎｏの表示に対してカーソル５１の操作で確認を行い、更に、確定するための特定のキー１を操作することにより、顔画像データから特徴データを取得する処理が実行される。
【００３９】
また、顔画像データから特徴データを取得する際には、前記特徴取得手段２１における処理によって取得することを想定しているが、顔画像データをインターネットＩＮを介して顔画像データを処理サーバ４５に伝送し、この処理サーバ４５において顔画像データから特徴データを取得し、この特徴データを携帯電話機に伝送するように特徴取得手段２１を構成しても良い。このように処理サーバ４５を利用して特徴データを取得するものでは、携帯電話機Ｘにおいて行う処理より、高精度の処理を短時間で行うことが可能となる。
【００４０】
前述したように特徴データを取得すると、前記液晶ディスプレイ３にアドレスデータを表示して確認を求める（＃１０４、＃１０５ステップ）。
【００４１】
この処理では、図９に示すように前記液晶ディスプレイ３に対して顔画像データを表示した状態で「アドレスを入力して下さい」等のメッセージを表示し、この表示と併せて、マニュアル、履歴、アドレス帳の選択対象が表示される。これらの選択対象に対してカーソル５２の操作で選択を行い、更に、確定するための特定のキー１を操作することにより、入力形態が設定される。
【００４２】
前記選択対象として、マニュアルを選択した場合には、複数のキー１を操作してアドレスデータの入力を行うことになり、履歴を選択した場合には、前記通信履歴記憶部３１に記憶されている履歴のアドレスデータの何れかを選択することになり、アドレス帳を選択した場合には前記アドレス記憶部１４に既に記憶されているアドレスデータの何れかを選択することになる。
【００４３】
次にオペレータが顔画像データとアドレスデータとを確認した後には、顔画像データからサムネイルデータを生成し、前記特徴データと、前記サムネイルデータと、アドレスデータとを関連付けるように前記関連付けデータ（図４を参照）を生成する。そして、特徴データを前記特徴データ記憶部３２に記憶し、サムネイルデータを前記サムネイルデータ記憶部３３に記憶し、関連付けデータを前記関連付けデータ記憶部３４に記憶して処理を終了する（＃１０６、＃１０７ステップ）。
【００４４】
〔通信先選択処理〕
このように特徴データとアドレスデータとを関連付けて記憶した後には、前記カメラ５で撮影した顔画像データから、予め設定されたアドレスデータとの通信を実現する。このように通信先を選択する通信先選択処理を図６のフローチャートのように示すことが可能である。このフローチャートでは通信先として電話番号と、メールアドレスとに限定して説明している。
【００４５】
つまり、前記カメラ５で人物の顔を撮影して画像データを取得した場合（写真や印刷物を撮影して人物の画像データを取得しても良い）、撮影された顔画像データを液晶ディスプレイ３に表示し、その顔画像データから特徴データが取得される（＃２０１〜＃２０３ステップ）。
【００４６】
このように顔画像データから取得した特徴データからアドレスデータを設定する際には、顔画像データから通信先を選択するモードを選択することが必要であるが、このモードを選択するタイミングは撮影の以前でも、撮影後であっても良い。また、＃２０２ステップでは図１０に示すように前記液晶ディスプレイ３に対して顔画像データを表示すると同時に、同図に示すように「この人物に電話・メール」等のメッセージを併せて表示し、例えば、電話・メールの表示に対してカーソル５３の操作で通信モードを選択し、更に、確定するための特定のキー１を操作することにより、顔画像データから特徴データを取得する処理が実行される。
【００４７】
また、顔画像データから特徴データを取得する際には、前記特徴取得手段２１における処理によって取得することを想定しているが、前述した＃１０３での処理と同様に顔画像データをインターネットＩＮを介して顔画像データを処理サーバ４５に伝送し、この処理サーバ４５において顔画像データから特徴データを取得し、この特徴データを携帯電話機に伝送するように特徴取得手段２１を構成しても良い。このように処理サーバ４５を利用して特徴データを取得するものでは、携帯電話機において行う処理より、高精度の処理を短時間で行うことが可能となる。
【００４８】
特徴データを取得した後には、取得した特徴データと既に記憶している特徴データとを比較し、一致の程度を数値化し（例えばパーセンテージ）、予め設定された閾値を超えて、高い精度で一致する場合には、特徴データに関連付けられたアドレスデータを通信先として選択すると同時に、この通信先のアドレスと、関連付けられたサムネイルデータとを液晶ディスプレイ３に対して図１１に示すように表示する（＃２０４〜＃２０６ステップ）。
【００４９】
ちなみに、前述した比較を行う場合には、取得した特徴データと既に記憶している全ての特徴データとを比較することになり、高い精度で一致するものが抽出された場合には、その特徴データのインデックスを特定し、この特徴データのインデックスを有する関連付けデータを関連付けデータ記憶部３４から抽出する処理が行われる。そして、この関連付けデータに含まれているアドレスデータが通信先として選択され、この関連付けデータに含まれるサムネイルデータのインデックスが示すサムネイルデータが前記サムネイルデータ記憶部３３から抽出され、液晶ディスプレイ３に表示される。
【００５０】
同図では、アドレスデータとして電話番号を表示し、通信を行うための最終的な確認を行うメッセージとを表示している。
【００５１】
この表示に基づいて、オペレータが特定のキー１を操作する等の確認を行った後に、通信モードが通話モードである場合には、前記通信先選択手段１５が選択した電話番号に対して接続する処理を行い（＃２０７、＃２０８ステップ）、通信モードがメールモードである場合には、メーラが起動すると共に、前記通信先選択手段１５が通信先となるメールアドレスを選択した状態でメール編集画面（図示せず）が液晶ディスプレイ３に表示される。この編集画面においてオペレータが伝送すべきメールの内容を確定した後に、必要な操作を行うことで、このメールの内容が前述のように選択されたメールアドレスに伝送される（＃２０７、＃２０９、＃２１０ステップ）。
【００５２】
この処理では、図１０に示したように顔画像データを取得したタイミングで通信モードを選択する処理が行われていたが、顔画像データから取得した特徴データと、記憶された特徴データとのうち高い精度で一致するものを選択した後に、通信モードを選択するように選択の順序を設定しても良い。
【００５３】
また、顔画像データから取得した特徴データと、記憶された特徴データとのうち高い精度で一致しない場合（一致の程度が閾値を超えない場合）には、マニュアル設定ルーチン（＃３００ステップ）が実行される（図７を参照）。このマニュアル設定ルーチン（＃３００ステップ）は、例えば、不鮮明な印刷物の顔や、小さく顔が撮影された写真の顔画像データを取得した場合を想定したものであり、図７のフローチャートに示す如く特徴データが高い精度で一致しない場合でも、一致の程度が高い複数の特徴データを抽出し、抽出した特徴データに関連付けられたアドレスデータと個人名等（名前等）を一覧化して前記液晶ディスプレイ３に表示する処理を行い（表示形態は図示せず）、表示数が多い場合にはスクロールによって全ての表示を行う（＃３０１、＃３０２ステップ）。
【００５４】
次に、オペレータがアドレスデータを選択した場合には、前記関連付けデータに基づいて対応するサムネイルデータを表示し、確認したものについてアドレスデータを通信先として選択して表示する（＃３０３、＃３０４ステップ）。このように通信先に設定した場合には、前述した＃２０７〜＃２１０ステップのように前記通信先選択手段１５が通話先を選択し、その通信先との通信を実現する。
【００５５】
また、表示されたアドレスデータと個人名とから通信先として選択すべきものが存在しない場合には、設定を中止する（＃３０６ステップ）。
【００５６】
このように、本発明によると、携帯電話機に備えたカメラ５で人物の顔を撮影し、その人物の顔と電話番号やメールアドレスを関連付ける処理を行い、この関連付けを行った後には、その人物の顔をカメラ５で直接撮影することや、写真やアルバムの顔をカメラ５で撮影し、アドレスを選択するための操作を行うだけで、既に記憶されている特徴データと、撮影した顔画像データから取得した特徴データとの比較によって、電話番号やメールアドレスを設定できるものとなる。これにより、写真の人物の名前を思い出せない場合や、入力に手間が掛かる場合でも、誤りのない電話番号や、メールアドレスを設定して通信を可能にする。
【００５７】
〔別実施形態〕
本発明は、上記した実施の形態以外に以下のように構成しても良い。
【００５８】
（ａ）通信端末として、ＰＤＡのように通信機能を有する端末に適用する。特にＰＤＡを使用する場合には、インターネットを介して特定のサイトに接続する機会も多く、例えば、顔の特徴データとアドレスデータとしてのＵＲＬを関連付けるようにしても良い。
【００５９】
（ｂ）特徴データを取得する処理として、人物の顔をカメラ５で撮影した直後において、その顔画像データから特徴データを取得する処理を示していたが、特徴データを抽出する対象となる顔画像データは、以前に撮影したもののように画像データ記憶部３５に保存したものであっても良い。この場合、撮影した顔画像データを選択した後に、特徴データを取得する操作を行うことになる。
【産業上の利用可能性】
【００６０】
携帯電話機とカメラが分離したものに適用可能である。この場合、カメラで撮影した顔画像データを携帯電話機で取得するための通信手段を備えることや、カメラで使用した半導体メディアから顔画像データを取得する処理を行うことになるが、これによりカメラを備えていない携帯電話機にも適用できる。
【図面の簡単な説明】
【００６１】
【図１】携帯電話機を異なる方向から示した斜視図
【図２】通信経路を示す模式図
【図３】携帯電話機の制御系を示すブロック回路図
【図４】関連付けデータの構造を示す図
【図５】関連付け処理のフローチャート
【図６】通信先選択処理のフローチャート
【図７】マニュアル設定ルーチンのフローチャート
【図８】顔画像データに基づいてアドレスを登録する際に表示される画面を示す図
【図９】アドレス入力時に表示される画面を示す図
【図１０】顔画像データに基づいて通信を行う際に表示される画面を示す図
【図１１】通信時開始時に表示される画面を示す図
【符号の説明】
【００６２】
３            ディスプレイ：液晶ディスプレイ
１４          アドレス記憶部
１５          通信先選択手段
２１          特徴取得手段
２２          関連付け手段
２３          人物判定手段
４５          処理サーバ
ＩＮ          インターネット
【図１】
2007028077.tif 000003
【図２】
2007028077.tif 000004
【図３】
2007028077.tif 000005
【図４】
2007028077.tif 000006
【図５】
2007028077.tif 000007
【図６】
2007028077.tif 000008
【図７】
2007028077.tif 000009
【図８】
2007028077.tif 000010
【図９】
2007028077.tif 000011
【図１０】
2007028077.tif 000012
【図１１】
2007028077.tif 000013